(57)【要約】【課題】接続のためのジャンパー線を不要として接続部品数を低減しながら安定した機械的接続強度及び電気的接続状態を得る。【解決手段】接続側のプリント配線板１を被接続側のプリント配線板２に電気的及び機械的に接続したプリント配線板である。被接続側のプリント配線板２に長孔３を形成する。長孔３の近傍にパターン接続ランド４を形成する。接続側のプリント配線板１の一端に長孔３に差し込む接続突部５を形成する。接続突部５の近傍にパターン接続ランド６を形成する。接続突部５を長孔３に差し込み接続し、接続側のプリント配線板１のパターン接続ランド４と被接続側のプリント配線板２のパターン接続ランド６とを半田付けした。【選択図】　　　　図１
2004087748.tif 000002
【特許請求の範囲】
【請求項１】
接続側のプリント配線板を被接続側のプリント配線板に電気的及び機械的に接続したプリント配線板であって、被接続側のプリント配線板に長孔を形成し、長孔の近傍にパターン接続ランドを形成し、接続側のプリント配線板の一端に長孔に差し込む接続突部を形成し、接続突部の近傍にパターン接続ランドを形成し、接続突部を長孔に差し込み接続し、接続側のプリント配線板のパターン接続ランドと被接続側のプリント配線板のパターン接続ランドとを半田付けして成ることを特徴とするプリント配線板。
【請求項２】
接続側のプリント配線板と被接続側のプリント配線板との各パターン接続ランドにおいて、一又は複数を他に比べて大きくして半田付けによる機械的接続強度を高めて成ることを特徴とする請求項１記載のプリント配線板。
【請求項３】
接続側のプリント配線板と被接続側のプリント配線板の各パターン接続ランドにおいて、パターン接続ランド間に半田濡れ性の低い部材を設けて成ることを特徴とする請求項１記載のプリント配線板。
【請求項４】
被接続側のプリント配線板は多層プリント配線板であり、接続側のプリント配線板の接続突部及びその近傍に絶縁材を塗布して成ることを特徴とする請求項１記載のプリント配線板。
【発明の詳細な説明】
【０００１】
【発明の属する技術分野】
本発明は、接続側のプリント配線板を被接続側のプリント配線板に電気的及び機械的に接続したプリント配線板に関し、詳しくは、接続のためのジャンパー線を不要として接続部品数を低減しながら安定した機械的接続強度及び電気的接続状態を得ようとする技術に係るものである。
【０００２】
【従来の技術】
従来、接続側のプリント配線板１’を被接続側のプリント配線板２’に電気的及び機械的に接続したプリント配線板Ａ’においては、図６に示すように、ジャンパー線Ｊを用いておこなうのであり、ジャンパー線Ｊは接続する配線パターンの数だけ必要となるのであり、ジャンパー線Ｊの両端部において半田付け作業をおこなうのであり、部品点数が多くなり、機械的な強度を高めるためにはジャンパー線Ｊに強度を必要とするのである。
【０００３】
【発明が解決しようとする課題】
本発明はこのような問題に鑑みてなされたものであり、接続のためのジャンパー線を不要として接続部品数を低減しながら安定した機械的接続強度及び電気的接続状態を得ることができるプリント配線板を提供することを目的とするものである。
【０００４】
【課題を解決するための手段】
請求項１の発明においては、接続側のプリント配線板１を被接続側のプリント配線板２に電気的及び機械的に接続したプリント配線板であって、被接続側のプリント配線板２に長孔３を形成し、長孔３の近傍にパターン接続ランド４を形成し、接続側のプリント配線板１の一端に長孔３に差し込む接続突部５を形成し、接続突部５の近傍にパターン接続ランド６を形成し、接続突部５を長孔３に差し込み接続し、接続側のプリント配線板１のパターン接続ランド４と被接続側のプリント配線板２のパターン接続ランド６とを半田付けしていることを特徴とするものである。
【０００５】
このような構成によれば、接続側のプリント配線板１の接続突部５を被接続側のプリント配線板２の長孔３に差し込み接続することと、差し込み接続箇所の近傍における両プリント配線板１、２の各パターン接続ランド４、６を半田付けすることによって、両プリント配線板１、２の接続に際してジャンパー線を不要にでき、部品点数を削減し、作業性を高め、機械的接続強度及び電気的接続状態を安定化させることができる。
【０００６】
請求項２の発明においては、接続側のプリント配線板１と被接続側のプリント配線板２との各パターン接続ランド４、６において、一又は複数を他に比べて大きくして半田付けによる機械的接続強度を高めていることを特徴とするものである。このような構成によれば、半田付けによる接続強度を、一層、高めることができる。
【０００７】
請求項３の発明においては、接続側のプリント配線板１と被接続側のプリント配線板２の各パターン接続ランド４、６において、パターン接続ランド４、４；６、６間に半田濡れ性の低い部材１０を設けていることを特徴とするものである。このような構成によれば、例えば、自動的に半田付けをおこなう場合に、半田ブリッジが生じるのを抑制することができ、不良ショートを防止できる。
【０００８】
請求項４の発明においては、被接続側のプリント配線板２は多層プリント配線板であり、接続側のプリント配線板１の接続突部５及びその近傍に絶縁材１１を塗布していることを特徴とするものである。このような構成によれば、被接続側の多層となったプリント配線板２に形成した長孔３の近傍に配線パターン２ｂが存在していても、長孔３に差し込み接続される接続突部５及びその近傍には絶縁材１１が存在していて、長孔３の近傍の配線パターン２ｂの絶縁性を充分なものにできる。
【０００９】
【発明の実施の形態】
以下、本発明の実施の形態を説明する。図１（ａ）は接続側のプリント配線板の正面図、同図（ｂ）は被接続側のプリント配線板の背面図、同図（ｃ）は被接続側のプリント配線板の正面図である。図４は作用を示し、同図（ａ）は接続前の背面側からの分解斜視図、同図（ｂ）は接続後の斜視図である。
【００１０】
接続側のプリント配線板１及び被接続側のプリント配線板２はいずれもが絶縁基板１ａ、２ａに導電性材料で形成した配線パターン１ｂ、２ｂを積層接着したものであり、配線パターン１ｂ、２ｂの先端部にランド１ｆ、２ｆを形成して電子部品７を半田付けするものである。
【００１１】
本発明のプリント配線板Ａは、接続側のプリント配線板１を被接続側のプリント配線板２に配線パターン１ｂ、２ｂを含めて電気的及び機械的に接続しているものであり、接続のためのジャンパー線を不要として接続部品数を低減しながら安定した機械的接続強度及び電気的接続状態を得るものである。以下、詳述する。
【００１２】
被接続側のプリント配線板２に長孔３を貫通して形成している。長孔３の近傍にプリント配線板２における配線パターン２ｂに一連にパターン接続ランド４を形成している。
【００１３】
接続側のプリント配線板１の一端に長孔３に差し込む接続突部５を形成している。接続突部５の近傍にまで配線パターン１ｂが延出され、各配線パターン１ｂにパターン接続ランド６を形成している。
【００１４】
しかして、接続突部５を長孔３に差し込み接続（嵌合接続）し、接続側のプリント配線板１のパターン接続ランド４と被接続側のプリント配線板２のパターン接続ランド６とを半田付けして本発明のプリント配線板Ａを得るのであり、接続側のプリント配線板１の接続突部５を被接続側のプリント配線板２の長孔３に差し込み接続することと、差し込み接続箇所の近傍における両プリント配線板１、２の各パターン接続ランド４、６を半田付けすることによって、両プリント配線板１、２の接続に際してジャンパー線を不要にでき、部品点数を削減し、作業性を高め、機械的接続強度及び電気的接続状態を安定化させることができるのである。符号ｈは接続半田である。
【００１５】
ところで、図１（ａ）（ｃ）に示すように、接続側のプリント配線板１と被接続側のプリント配線板２との各パターン接続ランド４、６において、一又は複数を他に比べて大きくして、具体的には両端のパターン接続ランド４、６を他に比べて大きくして、半田付けによる機械的接続強度を高めているのであり、半田付けによる接続強度を高めることができ、一層、機械的接続強度を高めることができる。
【００１６】
更に、接続側のプリント配線板１と被接続側のプリント配線板２の各々の各パターン接続ランド４、６において、パターン接続ランド４、４；６、６間に半田濡れ性の低い部材１０を設けているのであり、例えば、自動的に半田付けをおこなう場合に、半田ブリッジが生じるのを抑制することができ、不良ショートを防止できる。半田濡れ性の低い部材１０としては、図２に示すように、シルク印刷手段を採用しているが、他のものであってもよい。図２において、符号１０ａは孔、６ａは半田である。
【００１７】
ところで、接続用の長孔３を形成した被接続側のプリント配線板２は多層プリント配線板であるが、接続側のプリント配線板１の接続突部５及びその近傍に上記半田濡れ性の低い部材１０を兼ねた絶縁材１１を積層しているのであり、このことから、被接続側の多層となったプリント配線板２に形成した長孔３の近傍に配線パターン２ｂが存在していても、長孔３に差し込み接続される接続突部５及びその近傍には絶縁材１１が存在していて、長孔３の近傍の配線パターン２ｂの絶縁性を充分なものにできる。絶縁材１１としては絶縁塗料であるが、他のものでもよい。
【００１８】
【発明の効果】
請求項１の発明においては、接続側のプリント配線板を被接続側のプリント配線板に電気的及び機械的に接続したプリント配線板であって、被接続側のプリント配線板に長孔を形成し、長孔の近傍にパターン接続ランドを形成し、接続側のプリント配線板の一端に長孔に差し込む接続突部を形成し、接続突部の近傍にパターン接続ランドを形成し、接続突部を長孔に差し込み接続し、接続側のプリント配線板のパターン接続ランドと被接続側のプリント配線板のパターン接続ランドとを半田付けしているから、接続側のプリント配線板の接続突部を被接続側のプリント配線板の長孔に差し込み接続することと、差し込み接続箇所の近傍における両プリント配線板の各パターン接続ランドを半田付けすることによって、両プリント配線板の接続に際してジャンパー線を不要にでき、部品点数を削減し、作業性を高め、機械的接続強度及び電気的接続状態を安定化させることができるという利点がある。
【００１９】
請求項２の発明においては、請求項１の効果に加えて、接続側のプリント配線板と被接続側のプリント配線板との各パターン接続ランドにおいて、一又は複数を他に比べて大きくして半田付けによる機械的接続強度を高めているから、半田付けによる接続強度を高めることができ、一層、機械的接続強度を高めることができるという利点がある。
【００２０】
請求項３の発明においては、請求項１の効果に加えて、接続側のプリント配線板と被接続側のプリント配線板の各パターン接続ランドにおいて、パターン接続ランド間に半田濡れ性の低い部材を設けているから、例えば、自動的に半田付けをおこなう場合に、半田ブリッジが生じるのを抑制することができ、不良ショートを防止できるという利点がある。
【００２１】
請求項４の発明においては、請求項１の効果に加えて、被接続側のプリント配線板は多層プリント配線板であり、接続側のプリント配線板の接続突部及びその近傍に絶縁材を塗布しているから、被接続側の多層となったプリント配線板に形成した長孔の近傍に配線パターンが存在していても、長孔に差し込み接続される接続突部及びその近傍には絶縁材が存在していて、長孔の近傍の配線パターンの絶縁性を充分なものにできるという利点がある。
【図面の簡単な説明】
【図１】本発明の実施の一形態を示し、（ａ）は接続側のプリント配線板の正面図、（ｂ）は被接続側のプリント配線板の背面図、（ｃ）は被接続側のプリント配線板の正面図である。
【図２】同上の製造工程を示し、（ａ）は部分概略斜視図、（ｂ）は（ａ）の断面図、（ｃ）は部分概略斜視図、（ｄ）は（ｃ）の断面図、（ｅ）は部分概略斜視図、（ｆ）は（ｅ）の断面図である。
【図３】同上の接続状態を示し、（ａ）は側面図、（ｂ）は正面図である。
【図４】同上の作用を示し、（ａ）は接続前の背面側からの斜視図、（ｂ）は接続後の斜視図である。
【図５】同上の作用を示し、（ａ）は接続前の正面側からの斜視図、（ｂ）は接続後の斜視図である。
【図６】従来例の説明図である。
【符号の説明】
１　　接続側のプリント配線板
２　　被接続側のプリント配線板
３　　長孔
４　　接続側のプリント配線板のランド
５　　接続突部
６　　被接続側のプリント配線板のランド
【図１】
2004087748.tif 000003
【図２】
2004087748.tif 000004
【図３】
2004087748.tif 000005
【図４】
2004087748.tif 000006
【図５】
2004087748.tif 000007
【図６】
2004087748.tif 000008